(57)【要約】  患者インタフェースは、患者の顔面の第１部分に載る第１本体と、患者の顔面の第２部分に載る第２本体と、第１本体および第２本体を連結するブリッジとを有することができる。患者インタフェースは、患者の顔面に位置決めされた相補的な固定構造体と結合して患者インタフェースを顔面に固定する取付構造体を有することができる。固定構造体は、固定構造体、したがって取り付けられた患者インタフェースを顔面に接着する接着剤を含むことができる。固定構造体は、患者インタフェースが顔面から取り外されるときに固定構造体が顔面から持ち上げられる傾向を低減させるような形状である縁を有することができる。
2018512205.tif 000002
【特許請求の範囲】
【請求項１】
患者の顔面に患者インタフェースを固定する固定構造体であって、
第１縁と、
前記患者の顔面での使用時、前記第１縁より前記患者の鼻または口から遠いように、前記第１縁に対向する第２縁と、
前記第１縁と前記第２縁との間に延在する、対向する第３縁および第４縁と、
を備え、
前記第１縁および前記第２縁に近い方の前記第３縁の部分が、前記第１縁および前記第２縁から遠い方の前記第３縁の部分より、前記固定構造体の中心線または中心部分からより一層突出している、固定構造体。
【請求項２】
前記第２縁に近い方の前記第３縁の部分が、前記第１縁に近い方の前記第３縁の部分より、前記固定構造体の前記中心線または中心部分からより一層突出している、請求項１に記載の固定構造体。
【請求項３】
前記第３縁が凹状湾曲部を備える、請求項１または２に記載の固定構造体。
【請求項４】
前記第４縁が、前記患者の目の下の領域の形状に一致するような形状である凹状湾曲部を備える、請求項１〜３のいずれか一項に記載の固定構造体。
【請求項５】
前記第１縁と前記第２縁との間に延在する第１面を備え、前記第１面が、使用時に前記患者の顔面から離れる方にかつ前記患者インタフェースの方に面し、前記第１面が、前記患者インタフェースの取付構造体の相補的な締結具に取付可能な第１締結具を備える、請求項１〜４のいずれか一項に記載の固定構造体。
【請求項６】
前記第１締結具が、前記第２縁より前記第１縁に近いように位置決めされている、請求項５に記載の固定構造体。
【請求項７】
前記第１締結具の中間点が、前記第１縁と前記第２縁との間の中途の中心線または中心部分からずれている、請求項５または６に記載の固定構造体。
【請求項８】
前記第１締結具の中間点が、前記第３縁と前記第４縁との間の中途の中心線または中心部分にある、請求項５〜７のいずれか一項に記載の固定構造体。
【請求項９】
前記第１締結具によって覆われていない、前記第１面の少なくとも一部が、把持または支持領域を構成する、請求項５〜８のいずれか一項に記載の固定構造体。
【請求項１０】
前記第１締結具が、前記第１縁から、前記第１縁と前記第２縁との間の前記第１面の長さに沿った位置まで延在する、請求項５〜９のいずれか一項に記載の固定構造体。
【請求項１１】
前記第１縁と前記第２縁との間の前記第１締結具の長さが、前記第１縁と前記第２縁との間の前記第１面の長さより短い、請求項５〜１０のいずれか一項に記載の固定構造体。
【請求項１２】
前記第１面の長さに対する前記第１締結具の長さの比が、０．２〜０．９である、請求項１１に記載の固定構造体。
【請求項１３】
前記第１締結具が、前記第１縁と前記第２縁との間の実質的に全体に延在し、前記第３縁と前記第４縁との間には少なくとも部分的に延在し、前記第１締結具は、前記第３縁から、前記第３縁と前記第４縁との間の前記第１面の幅に沿った位置まで延在する、請求項５〜１２のいずれか一項に記載の固定構造体。
【請求項１４】
前記第１締結具が、前記第１縁から、前記第１縁と前記第２縁との間の前記第１面の長さに沿った位置まで延在し、前記第１締結具が、前記第３縁から、前記第３縁と前記第４縁との間の前記第１面の幅に沿った位置まで延在する、請求項５〜１２のいずれか一項に記載の固定構造体。
【請求項１５】
前記第１締結具が、前記患者インタフェースの前記取付構造体の相補的なループファスナに取外し可能に取付可能なフックファスナを含む、請求項５〜１４のいずれか一項に記載の固定構造体。
【請求項１６】
前記フックファスナが、前記第１面から外向きに延在する複数のフックを備える、請求項１５に記載の固定構造体。
【請求項１７】
前記複数のフックのうちの少なくともいくつかが、前記第１縁および／または前記第２縁に向かって延在する、請求項１６に記載の固定構造体。
【請求項１８】
前記複数のフックのうちの少なくともいくつかが、前記第１縁および前記第２縁に対して概して平行であり、かつ前記第３縁および前記第４縁に対して概して垂直である、請求項１６または１７に記載の固定構造体。
【請求項１９】
前記第１締結具が、前記第１締結具の可撓性を向上させる複数のスリットを備える、請求項５〜１８のいずれか一項に記載の固定構造体。
【請求項２０】
前記複数のスリットのうちの少なくともいくつかが、前記第１縁、前記第２縁、前記第３縁または前記第４縁のうちの少なくとも１つまで延在する、請求項１９に記載の固定構造体。
【請求項２１】
前記複数のスリットのうちの少なくともいくつかが、前記第３縁および前記第４縁まで交互に延在するスリットの列で配置されている、請求項１９または２０に記載の固定構造体。
【請求項２２】
前記スリットの列の各々が半円形または三日月形状を有するスリットを備え、前記半円形または三日月形状が、隣接する列のスリットの半円形または三日月形の形状に対して反対方向に面し、かつそこから前記第３縁または前記第４縁に向かって少なくとも部分的にずれている、請求項２１に記載の固定構造体。
【請求項２３】
前記複数のスリットのうちの少なくともいくつかが、前記第３縁および前記第４縁に向かって延在する、請求項１９または２０に記載の固定構造体。
【請求項２４】
前記第１縁および前記第２縁に近い方の前記複数のスリットのうちの少なくともいくつかが、前記第１縁および前記第２縁から遠い方の前記複数のスリットのうちの少なくともいくつかより短い、請求項２３に記載の固定構造体。
【請求項２５】
前記複数のスリットのうちの少なくともいくつかが、前記第３縁と前記第４縁との間の中途の中心線または中心部分を横切って延在しない、請求項２３または２４に記載の固定構造体。
【請求項２６】
前記複数のスリットのうちの少なくとも１つが、蛇行形状を有する、請求項１９または２０に記載の固定構造体。
【請求項２７】
前記複数のスリットのうちの２つが蛇行形状を有し、前記蛇行スリットのうちの一方が前記第１縁に向かって延在し、前記蛇行スリットのうちの他方が前記第２縁に向かって延在する、請求項２６に記載の固定構造体。
【請求項２８】
前記複数のスリットのうちの少なくともいくつかが、ジグザグ形状を有する、請求項１９または２０に記載の固定構造体。
【請求項２９】
前記第１縁と前記第２縁との間に延在する第２面を備え、前記第２面が、使用時に前記患者の顔面の方にかつ前記患者インタフェースから離れる方に面し、前記第２面が、前記患者の顔面に取付可能な第２締結具を備える、請求項５〜２８のいずれか一項に記載の固定構造体。
【請求項３０】
前記第２締結具が、前記患者の顔面に取外し可能に取付け可能な接着剤を備える、請求項２９に記載の固定構造体。
【請求項３１】
前記接着剤が親水コロイド系接着剤である、請求項３０に記載の固定構造体。
【請求項３２】
前記接着剤がシリコーン系接着剤である、請求項３０に記載の固定構造体。
【請求項３３】
前記接着剤が、使用時、前記顔面への塗布の後、少なくとも所定期間、前記患者の顔面に対する一定レベルの接着力を実質的に維持する材料を含む、請求項３０〜３２のいずれか一項に記載の固定構造体。
【請求項３４】
前記接着剤が、使用時、実質的に前記患者の顔面の形状に沿う材料を含む、請求項３０〜３３のいずれか一項に記載の固定構造体。
【請求項３５】
吸湿性の低い材料を含む、請求項１〜３４のいずれか一項に記載の固定構造体。
【請求項３６】
ヤング率の低い材料を含む、請求項１〜３５のいずれか一項に記載の固定構造体。
【請求項３７】
前記固定構造体が、実質的に均一な厚さを有する、請求項１〜３６のいずれか一項に記載の固定構造体。
【請求項３８】
前記固定構造体が、前記患者の顔面の動きに応じて前記固定構造体が曲がるのを可能にする厚さを有する、請求項１〜３７のいずれか一項に記載の固定構造体。
【請求項３９】
前記固定構造体が、０．０５ｍｍ〜５ｍｍの厚さを有する、請求項１〜３８のいずれか一項に記載の固定構造体。
【請求項４０】
患者の顔面に患者インタフェースを固定する固定構造体であって、
第１縁と、
前記患者の顔面での使用時、前記第１縁より前記患者の鼻または口から遠いように、前記第１縁に対向する第２縁と、
前記第１縁と前記第２縁との間に延在する第１面であって、前記患者の顔面から離れる方にかつ前記患者インタフェースの方に面し、第１締結具を備え、前記第１締結具が、前記患者インタフェースの取付構造体の相補的な締結具に取付可能である、第１面と、
前記第１面とは反対側の第２面であって、前記患者の顔面に取付可能な第２締結具を備える第２面と、
を備え、
前記第１縁が実質的に直線状であり、前記第１縁および前記第２縁が実質的に同じ幅である、固定構造体。
【請求項４１】
前記第１縁および前記第２縁が、形状およびサイズが実質的に同じである、請求項４０に記載の固定構造体。
【請求項４２】
前記第２縁が実質的に曲線的である、請求項４０または４１に記載の固定構造体。
【請求項４３】
実質的に三角形の形状を有する周縁部を備える、請求項４０または４１に記載の固定構造体。
【請求項４４】
実質的に湾曲した周縁部を備える、請求項４０〜４２のいずれか一項に記載の固定構造体。
【請求項４５】
前記第１縁と前記第２縁との間に延在する実質的に直線状の第３縁を備える、請求項４０〜４３のいずれか一項に記載の固定構造体。
【請求項４６】
前記第１縁と前記第２縁との間に延在する、対向する実質的に直線状の第３縁および第４縁を備える、請求項４０〜４２のいずれか一項に記載の固定構造体。
【請求項４７】
請求項１〜４６のいずれか一項に記載の固定構造体と、
使用時に患者の顔面の方に面する１つまたは複数の取付構造体を備える患者インタフェースであって、前記１つまたは複数の取付構造体の各々が、前記固定構造体の相補的な締結具に取付可能な締結具を備える、患者インタフェースと、
を備える患者インタフェースシステム。
【請求項４８】
前記患者インタフェースが、前記顔面の第１部分に載るように適合された第１本体と、前記顔面の第２部分に載るように適合された第２本体と、前記第１本体および前記第２本体を連結するブリッジとを備える、請求項４７に記載の患者インタフェースシステム。
【請求項４９】
前記第１本体および前記第２本体のうちの一方または両方各々が、前記取付構造体のうちの１つを備える、請求項４８に記載の患者インタフェースシステム。
【請求項５０】
前記第１本体および前記第２本体のうちの一方または両方各々が、第１縁と、前記患者の顔面での使用時、前記第１縁より前記患者の鼻または口から遠いように、前記第１縁に対向する第２縁とを備え、前記第２縁が、前記患者の顔面からの前記患者インタフェースの除去を容易にする取外構造体を備える、請求項４８または４９に記載の患者インタフェースシステム。
【請求項５１】
前記患者インタフェースが、鼻カニューレ、鼻マスク、口マスク、口鼻マスク、フルフェイスマスク、非封止口鼻マスク、鼻ピローマスクまたは気管内チューブを含む、請求項４７〜５０のいずれか一項に記載の患者インタフェースシステム。
【発明の詳細な説明】
【技術分野】
【０００１】
本開示は、概して呼吸療法に関する。より詳細には、本開示は、呼吸療法を提供する患者インタフェースに関する。
【背景技術】
【０００２】
呼吸疾患、たとえば慢性閉塞性肺疾患（ＣＯＰＤ）の治療に取り組んでいる患者は、有効な呼吸を行うことが困難である場合がある。こうした困難さは、肺組織の破壊、末梢気道の機能不全、唾液の過剰な蓄積、感染、遺伝子疾患または心不全を含む種々の原因の結果である可能性がある。呼吸疾患によっては、患者に対して、患者の換気を改善することができる治療を提供することが有用である。患者に対して、呼吸療法システムを用いるハイフロー療法を提供することができ、この呼吸療法システムは、ガス源と、患者の気道にガスを送るために使用することができる患者インタフェースと、ガス源と患者インタフェースとの間に延在する導管とを含む。患者インタフェースは、通常、封止されていない。ガスは、患者に送達される前に加熱し加湿することができる。
【０００３】
閉塞性睡眠時無呼吸（ＯＳＡ）は、通常は気道を開存させたままにする筋肉がつぶれて一時的に気道を封止する睡眠障害である。ＯＳＡ患者の睡眠パターンは、繰り返される連続したいびき、呼吸困難、無呼吸、はっとして覚醒すること、および、その後睡眠に戻ることを特徴とする。気道を支え、ＯＳＡの発生を低減させるかまたはなくすために、持続的気道陽圧（ＣＰＡＰ）の呼吸療法を用いることができる。患者に対して、呼吸療法システムを用いるＣＰＡＰ療法を提供することができ、この呼吸療法システムは、ガス源と、ガスを患者の気道に送るために使用することができる患者インタフェースと、ガス源と患者インタフェースとの間に延在する導管とを含む。患者インタフェースは、通常封止されている。ガスは、患者に送達される前に加熱し加湿することができる。
【発明の概要】
【発明が解決しようとする課題】
【０００４】
呼吸療法システム用の患者インタフェースは、鼻カニューレ、鼻マスク、口マスク、口鼻マスク、フルフェイスマスク、鼻ピローマスクまたは気管内チューブを含むことができる。患者インタフェースが患者に取り付けられると、ガスは、患者インタフェースの経鼻送達要素（たとえば、患者の鼻孔内に位置する、鼻カニューレの管状プロング）を通して患者の気道に運ばれる。場合によっては、患者インタフェースを患者の顔面に取り付けることが有用である。１つのオプションは、患者の顔面に接着パッドを配置することであり、接着パッドは、患者の顔面から離れる方に面する接着パッドの側にメカニカルファスナを有する。メカニカルファスナは、患者インタフェースに取り付けられた相補的なファスナアと結合する。しかしながら、接着パッドの形状を含む要素に応じて、相補的ファスナからメカニカルファスナを分離することにより、接着パッドが患者の顔面から望ましくないように外れる可能性がある。上記問題点に対する解決法、または有用な代替物を提供するシステムもしくは装置が求められている。
【課題を解決するための手段】
【０００５】
本明細書に開示する実施形態のうちの１つまたは複数のいくつかの特徴、態様および利点によれば、固定構造体が開示されている。固定構造体は、患者インタフェースと協働して患者の顔面に患者インタフェースを固定するように適合される。固定構造体は、使用時に患者の鼻または口の方に面するように適合された第１縁を備える。固定構造体は、使用時に患者の鼻または口から離れる方に面するように適合された第２縁を備える。第１縁は、実質的に平坦であるかまたは直線状である。第１縁および第２縁は、実質的に同じ幅である。
【０００６】
第１縁および第２縁は、形状およびサイズが同一であり得る。固定構造体は、第１縁と第２縁との間に延在する、実質的に平坦であるかまたは直線状の第３縁を備えることができる。固定構造体は、第１縁と第２縁との間に延在する、実質的に平坦であるかまたは直線状の第３縁および第４縁を備えることができる。第２縁は、実質的に曲線的であり得る。固定構造体は、実質的に三角形の形状を有する周縁部を備えることができる。固定構造体は、実質的に湾曲した形状を有する周縁部を備えることができる。
【０００７】
固定構造体は、患者インタフェースの取付構造体の相補的な第２締結具と連結するように適合された第１締結具を備えることができる。第１締結具は、使用時に患者の顔面から離れる方に面する、固定構造体の第１面に、固定するかまたは接着することができる。第１締結具は、実質的に固定構造体の第１面全体を覆うことができる。
【０００８】
固定構造体は、第１縁と第２縁との間に延在する、対向する第３縁および第４縁を備えることができる。第１締結具は、第１縁と第２縁との間では固定構造体の第１面の実質的に全体に沿って、対向する第３縁と第４縁との間では部分的にのみ延在することができる。
【０００９】
第１締結具は、第１縁から、第１縁と第２縁との間に固定構造体の長さに沿った位置まで延在することができる。固定構造体は、第１縁と第２縁との間に延在する対向する第３縁および第４縁を備えることができる。第１締結具は、第１縁から、第１縁と第２縁との間の固定構造体の長さに沿った位置まで延在することができる。第１締結具は、第３縁から、第３縁と第４縁との間の固定構造体の幅に沿った位置まで延在することができる。
【００１０】
第１締結具は、患者インタフェースの取付構造体の相補的なループファスナと連結するように適合されたフックファスナを備えることができる。フックファスナは、患者の顔面から離れる方に面する、固定構造体の面から外向きに延在するフックを備えることができる。フックは、固定構造体の第１縁および／または第２縁に向かって延在することができる。
【００１１】
フックは、第３縁が実質的に平坦であるとき、第１縁および第２縁と概して平行であり、第３縁および第４縁と概して垂直であり得る。
【００１２】
固定構造体は、実質的に均一な厚さであり得る。
【００１３】
固定構造体は、親水コロイド系接着剤から構成することができる。固定構造体は、シリコーン系接着剤から構成することができる。
【００１４】
固定構造体は、患者の顔面に固定構造体を接続するのを容易にするように適合させることができる。たとえば、固定構造体の患者対向領域は、使用時、少なくとも皮膚への適用後の所定期間、皮膚に対して一定レベルの接着力を実質的に維持する材料から構成することができる。
【００１５】
さらに、本明細書に開示する実施形態のうちの１つまたは複数のいくつかの特徴、態様および利点によれば、固定構造体が開示される。固定構造体は、患者インタフェースと協働して患者の顔面に患者インタフェースを固定するように適合される。固定構造体は、患者の顔面に付着するように適合された患者対向領域を有する本体を備える。固定構造体は、本体に接着された第１締結具を備える。第１締結具は、患者インタフェースの取付構造体の相補的な第２締結具と連結するように適合される。本体は、親水コロイド系接着剤またはシリコーン系接着剤から構成される。
【００１６】
さらに、本明細書に開示する実施形態のうちの１つまたは複数のいくつかの特徴、態様および利点によれば、固定構造体が開示される。固定構造体は、患者インタフェースと協働して患者の顔面に患者インタフェースを固定するように適合される。固定構造体は、使用時に患者の鼻または口の方に面するように適合された第１縁を備える。固定構造体は、使用時に患者の鼻または口から離れる方に面するように適合された第２縁を備える。固定構造体は、患者インタフェースの取付構造体の相補的なループファスナと連結するように適合されたフックファスナを備える。フックファスナは、第１縁と第２縁との間に少なくとも部分的に延在する。フックファスナは、固定構造体の第１縁および／第２縁に向かって延在するフックを備える。
【００１７】
さらに、本明細書に開示する実施形態のうちの１つまたは複数のいくつかの特徴、態様および利点によれば、固定構造体が開示されている。固定構造体は、患者インタフェースと協働して患者の顔面に患者インタフェースを固定するように適合される。固定構造体は、使用時に患者の鼻または口の方に面するように適合された第１縁を備える。固定構造体は、使用時に患者の鼻または口から離れる方に面するように適合された第２縁を備える。固定構造体は、第１縁と第２縁との間に延在する第３縁を備える。第３縁は凹状湾曲部を備える。
【００１８】
固定構造体は、第１縁と第２縁との間に延在する第４縁を備えることができる。第４縁は、患者の目の下の領域の形状に一致するような形状である凹状湾曲部を備えることができる。第３縁および第４縁は、対向することができる。
【００１９】
固定構造体は、患者インタフェースの取付構造体の相補的な第２締結具と連結するように適合された第１締結具を備えることができる。第１締結具は、固定構造体の患者から離れる方に面する面に固定することができる。第１締結具の中間点は、固定構造体の第１縁と第２縁との間の中途である第１中心線または中心部分からずらすことができる。第１締結具は、第２縁より第１縁の方に近いように位置決めすることができる。第１締結具の中間点は、固定構造体の第３縁と第４縁との間の中途である第２中心線または中心部分にあり得る。
【００２０】
さらに、本明細書に開示する実施形態のうちの１つまたは複数のいくつかの特徴、態様および利点によれば、固定構造体が開示されている。固定構造体は、患者インタフェースと協働して患者の顔面に患者インタフェースを固定するように適合される。固定構造体は、使用時に患者の鼻または口の方に面するように適合された第１縁を備える。固定構造体は、使用時に患者の鼻または口から離れる方に面するように適合された第２縁を備える。固定構造体は、第１縁と第２縁との間に延在する第３縁を備える。第３縁は、第１縁および第２縁から遠い（ｄｉｓｔａｌ）第３縁の部分におけるより、第１縁および第２縁に近い（ｐｒｏｘｉｍａｌ）第３縁の部分における方が、固定構造体の中心線または中心部分からより一層突出する。
【００２１】
第２縁に近い第３縁の部分は、第１縁に近い第３縁の部分より、固定構造体の中心線または中心部分からより一層突出することができる。
【００２２】
さらに、本明細書に開示する実施形態のうちの１つまたは複数のいくつかの特徴、態様および利点によれば、固定構造体が開示されている。固定構造体は、患者インタフェースと協働して患者の顔面に患者インタフェースを固定するように適合される。固定構造体は、患者の顔面に付着するように適合された本体を備える。本体は、少なくとも一部には、低吸湿性を有する材料から構成される。
【００２３】
さらに、本明細書に開示する実施形態のうちの１つまたは複数のいくつかの特徴、態様および利点によれば、固定構造体が開示されている。固定構造体は、患者インタフェースと協働して患者の顔面に患者インタフェースを固定するように適合される。固定構造体は、患者の顔面に付着するように適合された本体を備える。本体は、少なくとも一部には、低ヤング率を有する材料から構成される。
【００２４】
本体は、患者の顔面の動きに応じて本体が曲がるのを可能にする厚さを有することができる。本体は、０．０５ｍｍ〜５．０ｍｍの厚さを有することができる。第１締結具の厚さは、本体の厚さより小さくすることができる。第１締結具の厚さは、本体の厚さの少なくとも１／４であり得る。
【００２５】
本体は、使用時に患者の皮膚の形状に沿うシリコーン系接着剤を備えることができる。本体は、親水コロイド系接着剤を備えることができる。
【００２６】
さらに、本明細書に開示する実施形態のうちの１つまたは複数のいくつかの特徴、態様および利点によれば、固定構造体が開示されている。固定構造体は、患者インタフェースと協働して患者の顔面に患者インタフェースを固定するように適合される。固定構造体は、患者の顔面に付着する本体を備える。本体は、患者インタフェースの取付構造体の相補的な第２締結具と結合する第１締結具を備える。本体は、使用時に患者の顔面の皮膚に付着する接着剤を備える。接着剤は、皮膚への接着剤の塗布時に、皮膚に対する最大の接着力に実質的に即座に達する。
【００２７】
接着剤は、皮膚への接着剤の塗布時に皮膚の間隙に実質的に即座に流れ込むことができる。接着剤は、シリコーン系接着剤であり得る。この接着剤では、患者の顔面の皮膚に塗布された同様のサイズの親水コロイド系接着剤より、除去するために必要な力を小さくすることができる。
【００２８】
さらに、本明細書に開示する実施形態のうちの１つまたは複数のいくつかの特徴、態様および利点によれば、固定構造体が開示されている。固定構造体は、患者インタフェースと協働して患者の顔面に患者インタフェースを固定するように適合される。固定構造体は、使用時に患者の鼻または口の方に面する第１縁を備える。固定構造体は、使用時に患者の鼻または口から離れる方に面する第２縁を備える。固定構造体は、固定構造体の可撓性を向上させる複数のスリットを備える。
【００２９】
さらに、本明細書に開示する実施形態のうちの１つまたは複数のいくつかの特徴、態様および利点によれば、患者インタフェースシステムが開示されている。患者インタフェースシステムは、患者インタフェースを備え、患者インタフェースは、患者インタフェースの患者対向部分に固定された取付構造体を備える。取付構造体は、使用時に患者インタフェースを顔面に締結するように顔面に固定される固定構造体と結合する。固定構造体は、上の節に記載した、または添付の図を参照して本明細書における別の場所で記載する、固定構造体のうちの任意のものと、同じかまたは同様であり得る。
【００３０】
患者インタフェースは、患者の顔面の第１部分に載るように適合された第１本体と、患者の顔面の第２部分に載るように適合された第２本体と、第１本体および第２本体を連結するブリッジとを備えることができる。
【００３１】
取付構造体は、第１本体および／または第２本体の患者対向面に固定することができる。
【００３２】
患者インタフェースは、鼻カニューレ、鼻マスク、口マスク、口鼻マスク、フルフェイスマスク、非封止口鼻インタフェース、鼻ピローマスク、気管内チューブ、または他のこうした呼吸インタフェースを含むことができる。
【００３３】
さらに、本明細書に開示する実施形態のうちの１つまたは複数のいくつかの特徴、態様および利点によれば、患者の顔面に患者インタフェースを固定する固定構造体は、第１縁と、患者の顔面での使用時、第１縁より患者の鼻または口から遠いように、第１縁に対向する第２縁と、第１縁と第２縁との間に延在する、対向する第３縁および第４縁とを備える。第１縁および第２縁に近い方の第３縁の部分は、第１縁および第２縁から遠い方の第３縁の部分より、固定構造体の中心線または中心部分からより一層突出している。
【００３４】
第２縁に近い方の第３縁の部分は、第１縁に近い方の第３縁の部分より、固定構造体の中心線または中心部分からより一層突出することができる。第３縁は、凹状湾曲部を備えることができる。第４縁は、患者の目の下の領域の形状に一致するような形状である凹状湾曲部を備えることができる。
【００３５】
固定構造体は、第１縁と第２縁との間に延在する第１面を備えることができる。第１面は、使用時に、患者の顔面から離れる方にかつ患者インタフェースの方に面することができる。第１面は、患者インタフェースの取付構造体の相補的な締結具に取付可能な第１締結具を備えることができる。第１締結具は、第２縁より第１縁に近いように位置決めすることができる。第１締結具の中間点は、第１縁と第２縁との間の中途の中心線または中心部分からずらすことができる。第１締結具の中間点は、第３縁と第４縁との間の中途の中心線または中心部分にあり得る。
【００３６】
第１締結具によって覆われていない、第１面の少なくとも一部は、把持または支持領域を構成することができる。第１締結具は、第１縁から、第１縁と第２縁との間の第１面の長さに沿った位置まで延在することができる。第１縁と第２縁との間の第１締結具の長さは、第１縁と第２縁との間の第１面の長さより小さくすることができる。第１面の長さに対する第１締結具の長さの比は、０．２〜０．９であり得る。
【００３７】
第１締結具は、第１縁と第２縁との間の実質的に全体に延在し、第３縁と第４縁との間には部分的にのみ延在することができ、第１締結具は、第３縁から、第３縁と第４縁との間の第１面の幅に沿った位置まで延在することができる。第１締結具は、第１縁から、第１縁と第２縁との間の第１面の長さに沿った位置まで延在することができ、第１締結具は、第３縁から、第３縁と第４縁との間の第１面の幅に沿った位置まで延在することができる。
【００３８】
第１締結具は、患者インタフェースの取付構造体の相補的なループファスナに取外し可能に取付可能なフックファスナを備えることができる。フックファスナは、第１面から外向きに延在する複数のフックを備えることができる。複数のフックのうちの少なくともいくつかは、第１縁および／または第２縁に向かって延在することができる。複数のフックのうちの少なくともいくつかは、第１縁および第２縁に対して概して平行であり、第３縁および第４縁に対して概して垂直であり得る。
【００３９】
第１締結具は、第１締結具の可撓性を向上させる複数のスリットを備えることができる。複数のスリットのうちの少なくともいくつかは、第１縁、第２縁、第３縁または第４縁のうちの少なくとも１つまで延在することができる。複数のスリットのうちの少なくともいくつかは、第３縁および第４縁まで交互に延在するスリットの列で配置することができる。スリットの列の各々は半円形または三日月形状を有するスリットを備えることができ、半円形または三日月形状は、隣接する列のスリットの半円形または三日月形の形状に対して反対方向に面し、かつそこから第３縁または第４縁に向かって少なくとも部分的にずれている。
【００４０】
複数のスリットのうちの少なくともいくつかは、第３縁および第４縁に向かって延在することができる。第１縁および第２縁に近い方の複数のスリットの少なくともいくつかは、第１縁および第２縁から遠い方の複数のスリットのうちの少なくともいくつかより短くすることができる。複数のスリットのうちの少なくともいくつかは、第３縁と第４縁との間の中途の中心線または中心部分を横切って延在しないようにすることができる。
【００４１】
複数のスリットのうちの少なくとも１つは、蛇行形状を有することができる。複数のスリットのうちの２つは、蛇行形状を有することができ、蛇行スリットのうちの一方は、第１縁に向かって延在することができ、蛇行スリットのうちの他方は、第２縁に向かって延在することができる。
【００４２】
複数のスリットのうちの少なくともいくつかは、ジグザグ形状を有することができる。
【００４３】
固定構造体は、第１縁と第２縁との間に延在する第２面を備えることができる。第２面は、使用時に、患者の顔面の方にかつ患者インタフェースから離れる方に面することができる。第２面は、患者の顔面に取付可能な第２締結具を備えることができる。第２締結具は、患者の顔面に取外し可能に取付可能な接着剤を備えることができる。接着剤は、親水コロイド系接着剤であり得る。接着剤は、シリコーン系接着剤であり得る。接着剤は、使用時に、顔面への塗布の後、少なくとも所定期間、患者の顔面に対する一定レベルの接着力を実質的に維持する材料を含むことができる。接着剤は、使用時、患者の顔面の形状に実質的に沿う材料を含むことができる。
【００４４】
固定構造体は、吸湿性の低い材料を含むことができる。固定構造体は、ヤング率の低い材料を含むことができる。固定構造体は、実質的に均一の厚さを有することができる。固定構造体は、固定構造体が、患者の顔面の動きに応じて曲がるのを可能にする厚さを有することができる。固定構造体は、０．０５ｍｍ〜５ｍｍの厚さを有することができる。
【００４５】
さらに、本明細書に開示する実施形態のうちの１つまたは複数のいくつかの特徴、態様および利点によれば、患者の顔面に患者インタフェースを固定する固定構造体は、第１縁と、患者の顔面での使用時、第１縁より患者の鼻または口から遠いように、第１縁に対向する第２縁と、第１縁と第２縁との間に延在する第１面であって、患者の顔面から離れる方にかつ患者インタフェースの方に面する第１面と、第１面とは反対側の第２面とを備える。第１面は第１締結具を備え、第１締結具は、患者インタフェースの取付構造体の相補的な締結具に取付可能である。第２面は、患者の顔面に取付可能な第２締結具を備える。第１縁は実質的に直線状である。第１縁および第２縁は、実質的に同じ幅である。
【００４６】
第１縁および第２縁は、形状およびサイズが実質的に同じであり得る。第２縁は、実質的に曲線的であり得る。固定構造体は、実質的に三角形の形状を有する周縁部を備えることができる。固定構造体は、実質的に湾曲した周縁部を備えることができる。固定構造体は、第１縁と第２縁との間に延在する実質的に直線状の第３縁を備えることができる。固定構造体は、第１縁と第２縁との間に延在する、対向する実質的に直線状の第３縁および第４縁を備えることができる。
【００４７】
さらに、本明細書に開示する実施形態のうちの１つまたは複数のいくつかの特徴、態様および利点によれば、患者インタフェースシステムは、先に開示した実施形態のうちの任意の１つによる固定構造体と、使用時に患者の顔面の方に面する１つまたは複数の取付構造体を備える患者インタフェースとを備える。１つまたは複数の取付構造体の各々は、固定構造体の相補的な締結具に取付可能な締結具を備える。
【００４８】
患者インタフェースは、顔面の第１部分に載るように適合された第１本体を備えることができる。患者インタフェースは、顔面の第２部分に載るように適合された第２本体を備えることができる。患者インタフェースは、第１本体および第２本体を連結するブリッジを備えることができる。第１本体および第２本体の一方または両方各々は、取付構造体のうちの１つを備えることができる。第１本体および第２本体の一方または両方各々は、第１縁と、第１縁と対向する第２縁とを備えることができる。患者の顔面での使用時、第２縁は、第１縁より患者の鼻または口から離れることができる。第２縁は、患者の顔面からの患者インタフェースの除去を容易にする取外構造体を備えることができる。患者インタフェースは、鼻カニューレ、鼻マスク、口マスク、口鼻マスク、フルフェイスマスク、非封止口鼻マスク、鼻ピローマスクまたは気管内チューブを含むことができる。
【００４９】
具体的な実施形態およびその変更形態は、以下の図を参照する本明細書における詳細な説明から、当業者には明らかとなろう。
【図面の簡単な説明】
【００５０】
【図１】呼吸療法システムを示す。
【図２】患者インタフェースの正面図を示す。
【図３】図２に示す患者インタフェースの背面図を示す。
【図４】図２に示す患者インタフェースの側面斜視図を示す。
【図５Ａ】固定構造体の患者対向領域の上面図を示す。
【図５Ｂ】固定構造体のインタフェース対向領域の上面図を示す。
【図５Ｃ】固定構造体のインタフェース対向領域の上面図を示す。
【図６Ａ】患者に取り付けられた固定構造体を示す。
【図６Ｂ】患者に取り付けられた固定構造体を示す。
【図７Ａ】固定構造体のインタフェース対向領域の上面図を示す。
【図７Ｂ】固定構造体のインタフェース対向領域の上面図を示す。
【図７Ｃ】固定構造体のインタフェース対向領域の上面図を示す。
【図７Ｄ】固定構造体のインタフェース対向領域の上面図を示す。
【図７Ｅ】固定構造体のインタフェース対向領域の上面図を示す。
【図７Ｆ】固定構造体のインタフェース対向領域の上面図を示す。
【図７Ｇ】固定構造体のインタフェース対向領域の上面図を示す。
【図８Ａ】固定構造体のインタフェース対向領域の上面図を示す。
【図８Ｂ】線Ａ−Ａに沿った固定構造体のインタフェース対向領域の断面を示す。
【図９Ａ】固定構造体のインタフェース対向領域の上面図を示す。
【図９Ｂ】線Ｂ−Ｂに沿った固定構造体のインタフェース対向領域の断面を示す。
【図１０Ａ】皮膚の層の上における固定構造体の図を示す。
【図１０Ｂ】皮膚の層の上における固定構造体の図を示す。
【図１１Ａ−Ｄ】固定構造体のインタフェース対向領域の上面図を示す。
【図１２Ａ−Ｈ】固定構造体のインタフェース対向領域の上面図を示す。
【図１３Ａ】固定構造体のインタフェース対向領域の上面図を示す。
【図１３Ｂ】線Ｃ−Ｃに沿った図１３Ａの固定構造体の断面を示す。
【図１４】別の固定構造体のインタフェース対向領域の上面図である。
【図１５】別の固定構造体のインタフェース対向領域の上面図である。
【発明を実施するための形態】
【００５１】
図１は、例としての呼吸療法システム１００を示す。患者１は、この例では鼻カニューレアセンブリとして示す患者インタフェース２００を通して、加熱され加湿されたガスを受け取っており、患者インタフェース２００は、加湿ガス輸送経路または吸気導管３に接続され、吸気導管３は、ブロワ１５または他の適切なガス供給部からのガスが供給される加湿器８（加湿チャンバ５を含む）に接続されている。呼吸療法システム１００の外部のかつ／またはそれとは別個の供給源から、または呼吸療法システム１００の内部のかつ／またはそれと一体化されている供給源から、ガスを供給することができる。患者の顔面に対して患者インタフェース２００を支持し保持するために、ヘッドギア２０が設けられている。吸気導管３は、水６を収容する加湿チャンバ５の出口４に接続されている。加湿チャンバ５は、好ましくは、プラスチック材料から形成され、加湿器８のヒータプレート７と直接接触している高熱伝導性ベース（たとえば、アルミニウムベース）を有することができる。加湿器８には、制御機構または電子コントローラ９が設けられており、それは、関連するメモリに格納されたコンピュータソフトウェアコマンドを実行するマイクロプロセッサベースのコントローラを含むことができる。吸気導管３を通って流れるガスは、患者インタフェース２００を通して患者の気道に渡される。
【００５２】
コントローラ９は、使用者（たとえば、看護師または他の医療提供者）が、たとえば患者に供給されるガスの湿度または温度の所定の必要な値（事前設定値）を設定することができる、入力手段（たとえば、ダイヤル１０）等の入力源から、入力を受け取る。ダイヤル１０、およびガスの流量または温度を検知する内部センサ等の他のあり得る入力部を介して入力される、使用者設定湿度もしくは温度値、またはコントローラ９によって計算されるパラメータに応じて、コントローラ９は、加湿チャンバ５内の水６を加熱するようにヒータプレート７にいつ（またはどのレベルまで）通電するべきかを判断する。加湿チャンバ５内の水６が加熱されると、水蒸気が、水の表面の上方のチャンバの容積を充填し始め、入口１６を通って加湿チャンバ５に入る、ガス供給手段またはブロワ１５から提供されるガス（たとえば、空気）の流れにより、加湿チャンバ５の出口４から排出される。加湿チャンバ５内のガスの湿度とヒータプレート７の温度との関係を取得することができることが留意されるべきである。したがって、ガスの湿度を求めるために、アルゴリズムまたはルックアップテーブルにおけるヒータプレート７の温度を利用することができる。
【００５３】
ブロワ１５には、ブロワ入口１７を通して空気または他のガスを引き込む可変速ポンプまたはファン２を設けることができる。可変速ポンプまたはファン２の速度は、さらなる制御手段または電子コントローラ１８によって、コントローラ９からの入力と、ダイヤル１９等、１つまたは複数の入力デバイスを介する圧力および／またはファン速度の使用者が設定した所定の必要な値（事前設定値）に応じて制御することができる（または別法として、コントローラ１８の機能をコントローラ９が実施することができる）。
【００５４】
導管３内の加湿ガスの結露を防止するのに役立つように、導管３内に加熱要素１１を設けることができる。こうした結露は、通常は導管３内の加湿ガスの温度より低い導管３の壁の温度が、周囲温度に近い（周囲雰囲気の温度である）ことによる。加熱要素１１は、導管３の通過中に伝導および対流を通してガスから喪失するエネルギーを有効に置き換える。したがって、加熱要素１１は、送達されるガスが最適な温度および湿度であることを確実にする。
【００５５】
図示する構成では、患者インタフェース２００は、鼻カニューレを含む。いくつかの代替構成では、患者インタフェース２００は、封止インタフェースまたは非封止インタフェースを含むことができる。たとえば、患者インタフェース２００としては、鼻マスク、口マスク、口鼻マスク、フルフェイスマスク、鼻カニューレ、非封止口鼻インタフェース、鼻ピローマスク、気管内チューブ、上記の組合せ、または他のガス搬送システムもしくは装置を挙げることができる。他のこうした患者インタフェースにおいて、図示する鼻カニューレのいくつかの特徴、態様および利点を想定することができる。
【００５６】
図２〜図４を参照すると、患者インタフェース２００が示されている。患者インタフェース２００は、概して、顔の輪郭に実質的に一致するような形状とするかまたはそのように構成することができる。患者インタフェース２００は、患者の鼻孔内に位置するように適合された第１経鼻送達要素２０２Ａおよび第２経鼻送達要素２０２Ｂを含む。図示する経鼻送達要素２０２Ａ、２０２Ｂは、実質的に管状であり、患者インタフェース２００を通過するガスを患者に向ける。経鼻送達要素２０２Ａ、２０２Ｂは、使用時に概して患者の鼻中隔に向かって内向きに延在するような形状とし、かつそのように角度を付けることができる。経鼻送達要素２０２Ａ、２０２Ｂは、先端２０２Ａ’、２０２Ｂ’で終端する。使用時、先端２０２Ａ’、２０２Ｂ’は、患者の頭部の後部の方向に向く。いくつかの構成では、経鼻送達要素２０２Ａ、２０２Ｂは異なる形状を有することが理解されるべきである。たとえば、図示する構成における経鼻送達要素２０２Ａ、２０２Ｂの平均断面は実質的に円形であるが、いくつかの構成では、経鼻送達要素２０２Ａ、２０２Ｂの断面は、実質的に楕円形、実質的に正方形、または実質的に矩形であり得る。いくつかの構成では、経鼻送達要素２０２Ａ、２０２Ｂの断面は、経鼻送達要素２０２Ａ、２０２Ｂの長さに沿って変化することができる。いくつかの構成では、第１経鼻送達要素２０２Ａおよび第２経鼻送達要素２０２Ｂは異なる特徴を有することができる。たとえば、第１経鼻送達要素２０２Ａは、第２経鼻送達要素２０２Ｂより小さいかまたは短い場合がある。いくつかの構成では、１つの経鼻送達要素のみが使用される場合がある。いくつかの構成では、３つ以上（たとえば、３つまたは４つ）の経鼻送達要素が用いられる場合がある。
【００５７】
第１経鼻送達要素２０２Ａおよび第２経鼻送達要素２０２Ｂは、患者インタフェース２００の第１本体２０６Ａおよび第２本体２０６Ｂから延在している。第１本体２０６Ａおよび第２本体２０６Ｂは、内部ガス送達内腔２１０Ａ、２１０Ｂを含み、それらは、第１本体２０６Ａのガス入口２０８Ａおよび第２本体２０６Ｂのガス入口２０８Ｂからガスを受け取り、第１経鼻送達要素２０２Ａおよび第２経鼻送達要素２０２Ｂにガスを流す。ガス入口２０８Ａ、２０８Ｂは、一対のガス送達導管２１８Ａ、２１８Ｂと結合する（図１を参照）。図示する構成では、ガス送達導管２１８Ａ、２１８Ｂは、ガス入口２０８Ａ、２０８Ｂに一体的に形成されているかまたは分離不可能に接続されている。そして、ガス送達導管２１８Ａ、２１８Ｂは、ガス導管コネクタ２２２と一体的に形成されているかまたは分離不可能に接続されている。ガス導管コネクタ２２２は、ガス導管１１０（図１を参照して本開示における別の場所において吸気導管３として記載されている）と空気圧連通している相補的なコネクタ１１８と結合する。他の構成が企図される。たとえば、いくつかの構成では、第１経鼻送達要素２０２Ａおよび第２経鼻送達要素２０２Ｂは、第１本体２０６Ａまたは第２本体２０６Ｂのうちの一方の中に位置決めされた単一の内部ガス送達内腔からガスを受け取ることができる。そして、単一の内部ガス送達内腔は、単一のガス送達導管からガスを受け取ることができる。
【００５８】
いくつかの構成では、１つまたは複数のガス入口２０８Ａ、２０８Ｂは、ガス導管１１０と直接（または、相補的なコネクタ１１８および／またはガス導管コネクタ２２２を介して間接的に）結合することができる。いくつかのこうした構成では、第１本体２０６Ａおよび／または第２本体２０６Ｂは、ガス導管１１０と一体的に形成することができ、またはガス導管１１０と合わせて単一の連続したアセンブリの形態とすることができる。いくつかの構成では、ガス送達導管２１８Ａ、２１８Ｂのうちの１つまたは複数は、ガス入口２０８Ａ、２０８Ｂのうちの１つまたは複数に取外し可能に結合される。いくつかの構成では、ガス送達導管２１８Ａ、２１８Ｂのうちの１つまたは複数は、ガス導管コネクタ２２２に取外し可能に結合される。
【００５９】
患者インタフェース２００の第１本体２０６Ａおよび第２本体２０６Ｂは、患者の顔面に載るように適合されている。図示する構成では、第１本体２０６Ａおよび第２本体２０６Ｂは、患者の顔の両側の頬の上に載るように適合されている。患者の顔面の適所に第１本体２０６Ａおよび第２本体２０６Ｂを固定するために、第１本体２０６Ａおよび第２本体２０６Ｂの患者対向領域に、取付構造体２１６Ａ、２１６Ｂが設けられている。取付構造体２１６Ａ、２１６Ｂは、患者インタフェース２００を顔と所望の位置合せがなされた状態で維持するように適合されており、それにより、経鼻送達要素２０２Ａ、２０２Ｂは、限定しない例では、鼻孔内に快適にかつ封止しないように位置決めすることができる。
【００６０】
取付構造体２１６Ａ、２１６Ｂは、使用時に顔面に接着される固定構造体と結合するかまたはそれに取り付けられる。いくつかの構成では、取付構造体２１６Ａ、２１６Ｂおよび固定構造体は、互いに相補的であるように構造化することができる。たとえば、取付構造体２１６Ａ、２１６Ｂは、第１本体２０６Ａおよび第２本体２０６Ｂの患者対向領域に接着されるかまたは他の方法で固定される「ループ」部分（たとえば、テキスタイルまたはプラスチックから構成される）を含むことができ、固定構造体は、顔面に接着されるかまたは他の方法で固定することができ、「フック」パッドを含むことができる。取付構造体２１６Ａ、２１６Ｂおよび固定構造体は、たとえば「フック・ループ」（面ファスナ）型接続を介して互いに結合するかまたは取り付けられる。他の構成が企図される。いくつかの構成では、取付構造体２１６Ａ、２１６Ｂは、たとえば、接着パッドまたは他の構造体を介して、顔面と直接インタフェースすることができる。いくつかの構成では、単一の取付構造体を用いることができ、または３つ以上、たとえば３つもしくは４つの取付構造体を用いることができる。
【００６１】
いくつかの構成では、取付構造体２１６Ａ、２１６Ｂは、「ループ」部分以外の特徴を含むことができる。たとえば、取付構造体２１６Ａ、２１６Ｂは、固定構造体の相補的な「ループ」部分と結合するかまたはそれに取り付けられる「フック」部分を含むことができる。別の例として、取付構造体２１６Ａ、２１６Ｂは、固定構造体の機構と結合するかまたはそれに取り付けられる、スナップフィット機構または他の機械的噛み合い機構を含むことができる。いくつかの構成では、患者インタフェース２００は、顔面で所望の向きまたは位置合せで患者インタフェース２００を保持するように適合されたヘッドギアをさらに含むことができる。ヘッドギアは、たとえば、患者の頭部の周囲に延在するように構成された１本または複数本のストラップ、ストラップの有効長を変更することによってストラップの締まりを調整するバックル、キャップ、コイフ、ハット、ヘルメットおよび／または１つもしくは複数の他の特徴を含むことができる。
【００６２】
ブリッジ２０４が、第１本体２０６Ａおよび第２本体２０６Ｂを接続する。ブリッジ２０４は、第１本体２０６Ａおよび／または第２本体２０６Ｂの延長部である。いくつかの実施形態では、ブリッジ２０４は、内部ガス内腔を含まない。ブリッジ２０４は、経鼻送達要素２０２Ａ、２０２Ｂを互いに対して所望の向きで維持するのに役立つような役割を果たす。他の構成が企図される。たとえば、いくつかの構成では、ブリッジ２０４は、第１本体２０６Ａおよび第２本体２０６Ｂとは異なる材料から構成することができる。別法として、ブリッジ２０４は、第１本体２０６Ａおよび第２本体２０６Ｂと同じ材料から構成することができる。いくつかの構成では、たとえば、経鼻送達要素２０２Ａ、２０２Ｂを流体結合する内部ガス内腔を介して、第１本体２０６Ａと第２本体２０６Ｂとの間のガスの透過を可能にするように、ブリッジ２０４を開放することができる。いくつかのこうした構成では、本体２０６Ａ、２０６Ｂのうちの一方のみが、内部ガス内腔および／またはガス入口を含む。いくつかの構成では、ブリッジ２０４は、第１本体２０６Ａの第１接続点と第２本体２０６Ｂの第２接続点との間に延在する。
【００６３】
図３に示すように、第１本体２０６Ａおよび第２本体２０６Ｂは、経鼻送達要素２０２Ａ、２０２Ｂおよびブリッジ２０４に向かって延在するに従って幅が低減することができる。取付構造体２１６Ａ、２１６Ｂが固定構造体とともに使用されるときに、顔面における患者インタフェース２００の安定性を向上させるために、第１本体２０６Ａおよび第２本体２０６Ｂの外縁またはその近くにおける第１本体２０６Ａおよび第２本体２０６Ｂの比較的幅の広い部分に、取付構造体２１６Ａ、２１６Ｂは配置される。たとえば、取付構造体２１６Ａ、２１６は、経鼻送達要素２０２Ａ、２０２Ｂに対して第１本体２０６Ａおよび第２本体２０６Ｂの先端部分またはその近くに位置決めすることができる。取付構造体２１６Ａ、２１６Ｂは、第１本体２０６Ａおよび第２本体２０６Ｂの患者対向領域を実質的に覆うことができる。取付構造体２１６Ａ、２１６Ｂは、第１本体２０６Ａおよび第２本体２０６Ｂの患者対向領域を少なくとも部分的に覆うことができる。第１本体２０６Ａおよび第２本体２０６Ｂの少なくとも部分的に凹状の領域内に、取付構造体２１６Ａ、２１６Ｂを配置することができる。
【００６４】
図２および図４をさらに参照すると、第１本体２０６Ａおよび第２本体２０６Ｂの外縁は、取外構造体２１２Ａ、２１２Ｂを含むことができる。取外構造体２１２Ａ、２１２Ｂは、本体２０６Ａ、２０６Ｂの非患者対向領域に位置決めされている。取外構造体２１２Ａ、２１２Ｂは、ガス入口２０８Ａ、２０８Ｂから間隔を空けて配置されている。図示する構成では、取外構造体２１２Ａ、２１２Ｂは、本体２０６Ａ、２０６Ｂの隣接部分に対して厚さが低減した内部領域を含むタブである。タブの内部領域の外側にかつ本体２０６Ａ、２０６Ｂの外縁に向かって、タブは、本体２０６Ａ、２０６Ｂの同じ隣接部分に対して通常の厚さまたは増大した厚さの外部領域をさらに含む。外部領域は、患者または別の人（たとえば、限定されないが看護師または医師等の医療専門家）が把持して引っ張ることができる。引っ張られると、外部領域は、内部領域の周囲で回転することができ、顔面に存在する固定構造体から取付構造体２１６Ａ、２１６Ｂが取り外されるように、患者インタフェース２００に対して十分な力をかけることができる。したがって、取外構造体２１２Ａ、２１２Ｂを用いて、顔面から患者インタフェース２００をより容易に取り外すことができる。他の構成が企図される。たとえば、いくつかの構成では、患者インタフェース２００の第１本体２０６Ａまたは第２本体２０６Ｂのうちの一方に、取外構造体２１２Ａ、２１２Ｂのうちの一方を配置することができる。いくつかの構成では、患者インタフェース２００は、３つ以上、たとえば３つまたは４つの取外構造体を含むことができる。いくつかの構成では、本体２０６Ａ、２０６Ｂの他の部分、または患者インタフェース２００の他の部分に、取外構造体２１２Ａ、２１２Ｂを配置することができる。いくつかの構成では、取外構造体２１２Ａ、２１２Ｂは、タブ以外の構造体を含むことができる。たとえば、取外構造体２１２Ａ、２１２Ｂは、顔面から患者インタフェース２００を分離するように引っ張るかまたは他の方法で操作することができる、第１本体２０６Ａおよび／または第２本体２０６Ｂの平坦な延長部を含むことができる。
【００６５】
図５Ａは、固定構造体３００の患者対向領域３０１を示し、図５Ｂは、固定構造体３００のインタフェース対向領域３０１’を示す。患者対向領域３０１は、患者の顔面と取外し可能に結合しまたはそれに付着する。固定構造体３００のインタフェース対向領域３０１’は、患者の顔面に患者インタフェース２００を取外し可能に結合するように、患者インタフェース２００に取り付けられる。固定構造体３００は、図２〜図４を参照して本開示における別の場所に記載したように、取付構造体２１６Ａ、２１６Ｂと取外し可能に接合する。
【００６６】
図示する構成では、固定構造体３００は、本体３０２を含む。本体３０２は、実質的に均一の厚さである。他の構成では、本体３０２は、本体３０２の長さＬおよび／または幅Ｗに沿って可変厚さであり得る。本体３０２は、使用時に患者の鼻または口の方に面するように適合された第１縁３０４を含む。図示する構成では、第１縁３０４は、実質的に曲線的であり、幅がテーパ状になって本体３０２の延長部またはつまみを形成している。本体３０２は、第２縁３０６をさらに含み、それは、患者の顔面に対して外側の縁であり、したがって、使用時に患者の鼻または口から離れる方に面するように適合されている。図示する構成では、第２縁３０６は、実質的に曲線的であり、幅がわずかにテーパ状になっている。対向する湾曲した第３縁３０８Ａおよび第４縁３０８Ｂが、本体３０２の第１縁３０４と第２縁３０６との間に延在している。
【００６７】
固定構造体３００のインタフェース対向領域３０１’は、インタフェース対向固定要素３１０’を含む。インタフェース対向固定要素３１０’は、使用時に、取付構造体２１６Ａ、２１６Ｂと係合して、患者の顔面に患者インタフェース２００を固定する。図示する構成では、インタフェース対向固定要素３１０’は、（たとえば、フック・ループ型接続の場合）取付構造体２１６Ａ、２１６Ｂのうちの一方のループ状パッドと取外し可能に接合するフック状パッドである。フック状パッドは、限定されないが、接着剤、超音波溶接、高周波数溶接、縫合または化学結合の使用を含む複数の手段により、固定構造体３００に接合することができる。他の構成では、インタフェース対向固定要素３１０’は、限定されないが、取付構造体２１６Ａ、２１６Ｂの相補的なラッチまたは取付構造体２１６Ａ、２１６Ｂの相補的な留め具と結合するかまたはそれに取り付けられるラッチと結合することができる留め具、相補的な接着剤、ピン、クラスプ、または他の機械的締結具を含む、取付構造体２１６Ａ、２１６Ｂと結合するかまたはそれに取り付けられるように適合された他の構造体または要素を含むことができる。
【００６８】
患者対向領域３０１は、患者の顔面に取外し可能に接合することができる材料から構成される。図示する構成では、材料は、接着材料、たとえば、親水コロイド系接着材料、酸化亜鉛系接着材料、またはヒドロゲル系材料である。
【００６９】
図５Ｃは、固定構造体３００およびインタフェース対向固定要素３１０’の例示的な実施形態を示す。図示する構成では、インタフェース対向固定要素３１０’は、蛇行形状のフック状パッドである。蛇行形状は、インタフェース対向固定要素３１０’の隣接する塊の間に間隙３１２を画定する。間隙３１２は、特に、固定構造体３００が、第１縁３０４および／または第２縁３０６に対して実質的に平行な軸の周囲においてねじり力を受けたとき、インタフェース対向固定要素３１０’の可撓性を向上させる。間隙３１２は、インタフェース対向固定要素３１０’に形成された切れ目、スリット、窓、または薄い領域を含むことができる。インタフェース対向固定要素３１０’は、材料構成を変更することにより、第１縁３０４および／または第２縁３０６に対して実質的に平行な軸の周囲においてねじり力を受けたときに、可撓性の向上を示すように構成することができる。たとえば、いくつかの構成では、インタフェース対向固定要素３１０’は、第１縁３０４および／または第２縁３０６に対して実質的に平行な軸の周囲においてねじり力を受けたときに、可撓性の向上を示す、機械的異方性材料から構成することができる。いくつかの構成では、インタフェース対向固定要素３１０’は、可撓性の異なる複数の材料から構成することができる。複数の材料は、インタフェース対向固定要素３１０’の長さに沿って層状にすることができる。
【００７０】
図１１Ａ〜図１１Ｄは、インタフェース対向固定要素３１０’に対して、たとえばスリットのさまざまなパターンの使用を示す。インタフェース対向固定要素３１０’は、実質的に楕円形の形状を有するが、他の構成では、インタフェース対向固定要素３１０’は、限定されないが、矩形、正方形、台形、三角形または五角形の形状を含む他の形状を有することができる。図５Ｃを参照して記載したように、インタフェース対向固定要素３１０’は、インタフェース対向固定要素３１０’の可撓性を向上させるスリットまたは他の特徴を含むことができる。スリットのさまざまなパターンを用いて、インタフェース対向固定要素３１０’に対して可撓性を与えることができる。いくつかの実施形態では、スリットは、インタフェース対向固定要素３１０’の少なくとも１つの縁まで延在する。いくつかの実施形態では、スリットは、インタフェース対向固定要素３１０’の縁までは延在しない。
【００７１】
図１１Ａは、連続したスリットのパターンを含むインタフェース対向固定要素３１０’であって、連続したスリットがインタフェース対向固定要素３１０’の長さ方向の縁に向かって弓形に延在する、インタフェース対向固定要素３１０’の実施形態を示す。スリットは、インタフェース対向固定要素３１０’の中心に向かって長さが増大している。
【００７２】
図１１Ｂは、インタフェース対向固定要素３１０’の第１領域におけるスリットの対のパターンと、インタフェース対向固定要素３１０’の第２領域における個別スリットとを含む、インタフェース対向固定要素３１０’の例を示す。インタフェース対向固定要素３１０’の第１領域におけるスリットの対は、インタフェース対向固定要素３１０’の第３縁３０８Ａおよび第４縁３０８Ｂから実質的に内向きに延在し、インタフェース対向固定要素３１０’の中心に向かって長さが増大している。インタフェース対向固定要素３１０’の第２領域における個別スリットは、インタフェース対向固定要素３１０’の中心に向かって長さが増大している。
【００７３】
図１１Ｃは、インタフェース対向固定要素３１０’の対向する幅方向の縁から交互に延在するスリットのパターンを含む、インタフェース対向固定要素３１０’の例を示す。スリットは、インタフェース対向固定要素３１０’の中心に向かって長さが増大している。
【００７４】
図１１Ｄは、インタフェース対向固定要素３１０’の中心に向かって長さが増大する連続した直線状のスリットのパターンを含む、インタフェース対向固定要素３１０’の例を示す。
【００７５】
図１２Ａ〜図１２Ｋは、実質的に三角形の形状、または曲線的である縁を備えたルーローの三角形状の形状、もしくは図７Ｇに示す「ギターピック」状の形状と同様の形状を有するインタフェース対向固定要素３１０’の実施形態における、スリットのさまざまなパターンの使用を示す。しかしながら、スリットのこうしたパターンは、他の形状を有する固定要素に同様に適用することができることが理解されるべきである。いくつかの実施形態では、スリットは、インタフェース対向固定要素３１０’の少なくとも１つの縁まで延在する。いくつかの実施形態では、スリットは、インタフェース対向固定要素３１０’の縁までは延在しない。
【００７６】
図１２Ａは、インタフェース対向固定要素３１０’の対向する端部から延在する一対のスリットのパターンを含むインタフェース対向固定要素３１０’の例を示す。図示するように、スリットは、インタフェース対向固定要素３１０’の幅Ｗおよび長さＬの一部に沿って延在することができる。いくつかの実施形態では、対のスリットの各々は蛇行形状を有する。スリットは、蛇行スリットの各曲がりまたは方向転換を画定する、直線状の縁を有することができる。図示するように、蛇行スリットのうちの１つまたは各々は、長さ方向の部分によって連結された実質的に平行な幅方向の部分を含むことができる。長さ方向の部分は、インタフェース対向固定要素３１０’の縁に沿って延在することができ、半径方向外向きの方向に延在することができ、かつ／またはインタフェース対向固定要素３１０’の中心に向かって延在することができる。いくつかの構成では、長さ方向の部分は、長さ方向（たとえば、インタフェース対向固定要素３１０’の長手方向軸）から実質的にずれた角度にある。図示するように、いくつかの構成は、対のスリットの間に配置することができる単一の非蛇行スリットを有する。単一スリットは、少なくとも部分的に第３縁３０８Ａと第４縁３０８Ｂとの間に延在することができる。
【００７７】
図１２Ｂは、蛇行スリットの各曲がりまたは方向転換を画定する直線状の縁を備える蛇行形状を有する単一スリットのパターンを含むインタフェース対向固定要素３１０’の例を示す。
【００７８】
図１２Ｃは、半円形スリットの交互の列のパターンを含むインタフェース対向固定要素３１０’の例を示す。各列は、両側の列に対して反対方向に面し、かつ少なくとも部分的に両側の列からずれている形状を備えた、半円形スリットを含む。
【００７９】
図１２Ｄは、インタフェース対向固定要素３１０’の中心に向かって内向きに、インタフェース対向固定要素３１０’の第３縁３０８Ａおよび第４縁３０８Ｂから延在するスリットのパターンを含む、インタフェース対向固定要素３１０’の例を示す。図示するスリットは、インタフェース対向固定要素３１０’の全体を横切っては延在しない可能性がある。
【００８０】
図１２Ｅは、図１２Ｃに示すものと同様のパターンを含むインタフェース対向固定要素３１０’の例を示す。しかしながら、図示するインタフェース対向固定要素３１０’では、半円形スリットの列は、図１２Ｃに示す列より互いに近いように整列されている。実施形態では、半円形スリットは部分的に重なることができる。
【００８１】
図１２Ｆは、「階段」またはジグザグ形状を含むスリットのパターンを含むインタフェース対向固定要素３１０’の例を示す。
【００８２】
図１２Ｇは、インタフェース対向固定要素３１０’の中心に向かって長さが増大する連続した直線状のスリットのパターンを含むインタフェース対向固定要素３１０’の例を示す。スリットは、インタフェース対向固定要素３１０’の第２縁３０６と実質的に平行である。
【００８３】
図１２Ｈは、図１２Ｇに示すものと同様のパターンを含むインタフェース対向固定要素３１０’の例を示す。しかしながら、図示するインタフェース対向固定要素３１０’では、真ん中のスリットは、直線状であり、インタフェース対向固定要素３１０’の第２縁３０６に対して実質的に平行であり、他のスリットは、真ん中のスリットに向かって内向きに湾曲している。
【００８４】
固定構造体３００の図示する実施形態は、患者の顔面における患者インタフェース２００の保持に役立つためには有用であるが、場合によっては、固定構造体３００に加えられる力により、固定構造体３００は患者の顔面から意図せずに持ち上げられることになる可能性があり、それは、患者および／または患者の世話をしている医療専門家に対して不都合である可能性がある。これは、固定構造体３００から患者インタフェース２００を除去するために加えられる力の一部が固定構造体３００に伝達される可能性があるため、発生する可能性がある。たとえば、患者の頬に対して垂直な方向に、力が加えられる可能性がある。患者インタフェース２００の除去時等、患者の頬から固定構造体３００が意図せずに除去される可能性を低減させるために、患者の頬に対する固定構造体３００の接着力は、患者インタフェース２００に対する固定構造体３００の接着力より大きくすることができる。患者の顔面から固定構造体３００を除去するためには、患者の顔面と固定構造体３００との間の接着力に打ち勝つ除去力を加えることができる。別法として、水等の除去剤の塗布等、除去機構により、患者の顔面と固定構造体３００との間の接着力を低減させることができる。他の除去剤も企図される。
【００８５】
図６Ａは、患者対向領域３０１が患者の顔面に固定されている固定構造体３００を示す。言い換えれば、患者対向領域３０１は、図６Ａのページ内に面している。図示するように、固定構造体３００の第１縁３０４は、患者の鼻Ｎ、人中Ｐおよび／または口Ｍの方に面する。インタフェース対向固定要素３１０’は、患者インタフェース２００の第１本体２０６Ａの取付構造体２１６Ａと結合するかまたはそれに取り付けられるように適合されている。いくつかの構成では、インタフェース対向固定要素３１０’と適切に位置合せされると、患者インタフェース２００の本体２０６Ａ、２０６Ｂおよび／またはブリッジ２０４は、患者の口Ｍの上方にかつ人中Ｐを越えて載ることができる。
【００８６】
場合によっては、患者の顔面に固定構造体３００を維持しながら、固定構造体３００への取付によって患者の顔面に配置されている患者インタフェース２００を取り外すことが望ましい可能性がある。たとえば、これは、患者インタフェース２００を洗浄しかつ／もしくは交換し、または、限定されないが経鼻胃チューブもしくは経鼻空腸チューブを含むチューブを顔面に固定するとき、望ましい可能性がある。しかしながら、患者の顔面に対する固定構造体３００の固定強度が不十分であることにより、固定構造体３００の一部が顔面から離れるように持ち上げらやすくなることが分かった。たとえば、インタフェース対向固定要素３１０’に対して持上げ力（たとえば、固定構造体３００に対して実質的に垂直な力）がかけられることに応じて、患者の顔面から離れるように固定構造体３００を持ち上げることができる。いくつかの構成では、患者インタフェース２００が固定構造体３００から除去されている間に、固定構造体３００の持上げ力を加えることができる。固定構造体３００と患者の顔面との間の固定強度は、たとえば、患者対向領域３０１の患者対向固定要素３１０の接着材料または粘着材料の接着力によって決まる可能性がある。場合によっては、患者対向固定要素３１０の全体、したがって固定構造体３００を顔面から取り外すことができる。いくつかの実施形態では、インタフェース対向固定要素３１０’に持上げ力がかけられると、（図６Ｂにおいてページ内に面している）患者対向固定要素３１０に持上げ力を伝達することができる。図６Ｂに図示するように、この力の伝達により、固定構造体３００の第１縁３０４、または本体３０２の他の部分を顔面から持ち上げることができる。
【００８７】
固定構造体３００の１つまたは複数の部分の形状は、固定構造体３００が、たとえば患者インタフェース２００の除去時に、顔面から持ち上げられるのに耐える能力における要素であり得ることが分かった。特に、図５Ａ〜図６Ｂに示す固定構造体３００の実施形態では、テーパ状の第１縁３０４は、固定構造体３００にかけられる持上げ力によってもたらされる圧力を集中させて、固定構造体３００が顔面から持ち上げられやすくする役割を果たす。実施形態では、固定構造体３００の形状は、固定構造体３００が顔面から除去される際の圧力分布プロファイルを確定するように選択することができる。
【００８８】
図７Ａ〜図７Ｅは、固定構造体３００およびインタフェース対向固定要素３１０’の実施形態の限定しない例を示す。固定構造体３００のさまざまな図示する実施形態の本体３０２は、上記実施形態のうちのいくつかに関連して記載したような、テーパ状となるかまたは幅が狭くなる第１縁ではなく、第１縁３０４の実質的に平坦なまたは直線状の実施形態を含む。平坦なまたは直線状の第１縁３０４により、持上げ力によってもたらされる圧力を、第１縁３０４の長さに沿って分散させることができる。実施形態では、固定構造体３００のコーナは実質的に丸い。実施形態では、インタフェース対向固定要素３１０’のコーナは実質的に丸い。
【００８９】
図７Ａは、第２縁３０６が曲線的である固定構造体３００の実施形態例を示す。第３縁３０８Ａおよび第４縁３０８Ｂは、少なくとも部分的に曲線的である。インタフェース対向固定要素３１０’は、第３縁３０８Ａと第４縁３０８Ｂとの間に画定された方向において、実質的に本体３０２のインタフェース対向領域３０１’の全体に沿って延在する。インタフェース対向固定要素３１０’は、第１縁３０４と第２縁３０６との間に画定された方向において、本体３０２のインタフェース対向領域３０１’に部分的に沿って延在する。結果として、第２縁３０６の一部は、インタフェース対向固定要素３１０’に隣接しない可能性がある。
【００９０】
図７Ｂは、第２縁３０６が実質的に平坦であるかまたは直線状である、固定構造体３００の実施形態例を示す。第３縁３０８Ａおよび第４縁３０８Ｂは実質的に曲線的である。インタフェース対向固定要素３１０’は、本体３０２のインタフェース対向領域３０１’の実質的に全体を覆う。別法として、インタフェース対向固定要素３１０’は、インタフェース対向領域３０１’の少なくとも一部を覆うことができる。インタフェース対向領域３０１’は、インタフェース対向固定要素３１０’の周囲に境界または縁を提供することができる。使用者（たとえば、看護師または他の医療提供者）は、固定構造体３００の縁を把持して、患者の顔面から固定構造体３００を除去することができる。固定構造体３００のサイズに対するインタフェース対向固定要素３１０’のサイズは、患者インタフェース２００の除去中に固定構造体３００に加えられる力によって固定構造体３００が患者の顔面から除去されないように、構成することができる。
【００９１】
図７Ｃは、第１縁３０４、第２縁３０６、第３縁３０８Ａおよび第４縁３０８Ｂがすべて実質的に平坦であるかまたは直線状である、固定構造体３００の実施形態例を示す。例として、固定構造体３００は、実質的に正方形または実質的に矩形の形状を形成する。代替例では、固定構造体３００のコーナは実質的に丸い。インタフェース対向固定要素３１０’は、本体３０２のインタフェース対向領域３０１’の実質的に全体を覆う。別法として、インタフェース対向固定要素３１０’は、インタフェース対向領域３０１’の少なくとも一部を覆う。インタフェース対向領域３０１’は、インタフェース対向固定要素３１０’の周囲に境界または縁を提供することができる。使用者（たとえば、看護師または他の医療提供者）は、固定構造体３００の縁を把持して、患者の顔面から固定構造体３００を除去することができる。固定構造体３００のサイズに対するインタフェース対向固定要素３１０’のサイズは、患者インタフェース２００の除去中に固定構造体３００に加えられる力によって固定構造体３００が患者の顔面から除去されないように、構成することができる。
【００９２】
図７Ｄは、第１縁３０４、第２縁３０６、第３縁３０８Ａおよび第４縁３０８Ｂがすべて実質的に平坦であるかまたは直線状である、固定構造体３００の実施形態例を示す。インタフェース対向固定要素３１０’は、本体３０２のインタフェース対向領域３０１’の一部のみを覆う。特に、インタフェース対向固定要素３１０’は、第１縁３０４から、第１縁３０４と第２縁３０６との間の本体３０２の長さＬに沿った位置まで延在し、第４縁３０８Ｂから、第３縁３０８Ａと第４縁３０８Ｂとの間の本体３０２の幅Ｗに沿った位置まで延在する。図示するように、いくつかの構成では、本体３０２および／またはインタフェース対向固定要素３１０’は、概して正方形の周囲形状を有する。いくつかの構成では、インタフェース対向固定要素３１０’は、対角線Ｖに沿って延在する平面を中心に実質的に対称であり得る。図示するように、いくつかの構成では、対角線Ｖは、第１縁３０４および第４縁３０８Ｂによって画定される頂点と、第２縁３０６および第３縁３０８Ａによって画定される頂点との間に延在する。そして、固定構造体３００は、顔面の両頬に配置されるように９０度回転可能であり得る。実質的に対称の構造（たとえば、周囲形状）を備えた固定構造体３００の実施形態により、利便性を向上させることができ、かつ／または医療機関が購入し、貯蔵し、維持する異なる部品の数を低減させることができる。
【００９３】
図７Ｅは、第１縁３０４、第２縁３０６、第３縁３０８Ａおよび第４縁３０８Ｂがすべて実質的に平坦であるかまたは直線状である、固定構造体３００の実施形態例を示す。インタフェース対向固定要素３１０’は、第１縁３０４と第２縁３０６との間の本体３０２のインタフェース対向領域３０１’の長さの全体に沿って実質的に延在する。インタフェース対向固定要素３１０’は、第４縁３０８Ｂから第３縁３０８Ａと第４縁３０８Ｂとの間の位置まで本体３０２のインタフェース対向領域３０１’の幅に沿って部分的にのみ延在する。
【００９４】
図７Ｆおよび図７Ｇは、固定構造体３００の限定しない構成を示す。図７Ｆは、縁のすべてが実質的に曲線的である実質的に楕円形状を有する固定構造体３００の実施形態を示す。第１縁３０４は、その長さに沿ってわずかにテーパ状であるが、そのテーパは、図５Ａ〜図６Ｂに示す固定構造体のように延長部またはつまみで終端しない。第１縁３０４の曲率は、固定構造体３００に持ち上げ力が加えられるときに、第１縁３０４に対して望ましくないように集中する圧力を回避しながら、審美的に美しい形状が与えられるというものである。
【００９５】
図７Ｇは、実質的に三角形の形状、または曲線的である縁を備えたルーローの三角形状の形状もしくは「ギターピック」状の形状と同様の形状を有する固定構造体３００の実施形態を示す。この形状は、実質的に対称であり、鼻の両側に配置されて、回転または再方向付けを必要とすることなく同じ機械的特徴を有することができる。同様に、第１縁３０４および第２縁３０６（この場合、いずれも、使用時に患者の鼻および／または口の方に面するように適合されている）は、曲線的であり、わずかにテーパ状であるが、固定構造体３００に持上げ力が加えられるとき、第１縁３０４および第２縁３０６に対する望ましくないように集中する圧力を依然として回避する。
【００９６】
固定構造体３００に対する他の有用な形状が企図される。患者によっては、顔のゆがみ（たとえば、号泣または感情の表現による）または固定構造体３００の不適切な取扱いにより、固定構造体３００が眼またはまぶたの上を移動し、患者に対して瞬間の強圧または刺激をもたらす可能性がある。場合によっては、固定構造体３００の本体３０２に、せん断力、たとえば固定構造体３００を眼の方に付勢する力がかけられるとき、患者の眼内に押し込まれる可能性が低いように固定構造体３００を形成することが望ましい。
【００９７】
図１３Ａは、固定構造体３００に対する限定しない構成のインタフェース対向図を示す。固定構造体３００の図示する実施形態は、使用時に患者の鼻または口の方に面する第１縁３０４の実施形態と、使用時に患者の鼻または口から離れる方に面する第２縁３０６の実施形態とを含む。対向する第３縁３０８Ａおよび第４縁３０８Ｂは、第１縁３０４と第２縁３０６との間に延在する。図示するように、第３縁３０８Ａおよび第４縁３０８Ｂは、（たとえば、固定構造体３００の長手方向軸に対して）凹状湾曲部を含むことができる。図示するように、いくつかの実施形態では、第３縁３０８Ａおよび第４縁３０８Ｂは、反対方向に湾曲するかまたは面する湾曲部を含む。第３縁３０８Ａおよび第４縁３０８Ｂは、第１縁３０４および第２縁３０６から遠い第３縁３０８Ａおよび第４縁３０８Ｂの部分（たとえば、第３縁３０８Ａおよび第４縁３０８Ｂの中心部分）より、第１縁３０４および第２縁３０６に近い第３縁３０８Ａおよび第４縁３０８Ｂの部分において、本体３０２の中心線または中心部分からより一層突出している。第２縁３０６に近い第３縁３０８Ａおよび第４縁３０８Ｂの部分は、第１縁３０４に近い第３縁３０８Ａおよび第４縁３０８Ｂの部分より、本体３０２の中心線または中心部分からより一層突出している。第４縁３０８Ｂの凹状湾曲部は、眼、または下まぶた等のまぶたの輪郭に実質的に一致する。力ベクトルＦ１に沿って示すような上向きの力が、固定構造体３００の本体３０２にかけられると、第４縁３０８Ｂの凹状部の曲率は、固定構造体３００の本体３０２が眼の領域の周囲でへこむかまたは移動する傾向を増大させる。これにより、たとえば、本体３０２は、下まぶたの輪郭をへこませる可能性があり、かつ／または本体３０２が眼または瞼の中または上に移動する傾向を低減させることができる。第３縁３０８Ａおよび第４縁３０８Ｂの両方に凹状湾曲部が存在するため、固定構造体３００は、同じ特性を維持しながら、顔のいずれの側でも使用されるようにおよそ１８０度回転することができる。
【００９８】
図示するように、インタフェース対向固定要素３１０’は、固定構造体３００のインタフェース対向領域３０１’にあり、したがって、患者の顔面から離れる方に面する。インタフェース対向固定要素３１０’は、本体３０２の中心部分からずれている。図示する構成では、インタフェース対向固定要素３１０’は、第２縁３０６より第１縁３０４に近いように位置決めされている。さらに、インタフェース対向固定要素３１０’の長さＬ１は、固定構造体３００の本体３０２の長さＬ２より小さいかまたはそれに等しく、Ｌ２は、第１縁３０４と第２縁３０６との間の長さとして定義される。いくつかの構成では、長さの比Ｌ１：Ｌ２は、０．２〜０．９の範囲、または０．３〜０．８の範囲、または０．４〜０．７の範囲、または０．５〜０．６の範囲にあり得る。インタフェース対向固定要素３１０’が本体３０２の中心部分からずれており、長さＬ１およびＬ２がこうした比を有する場合、本体３０２のインタフェース対向固定要素３１０’から最も遠い部分、たとえば、本体３０２の第２縁３０６により近い部分は、固定構造体３００を患者の顔面に取り付けるかまたはそこから取り外すとき、より優れた把持領域を提供することができる。
【００９９】
いくつかの実施形態では、固定構造体３００は、支持部分として作用することができる拡大した領域を有する。たとえば、固定構造体３００は、第１縁３０４、第２縁３０６、第３縁３０８Ａおよび／または第４縁３０８Ｂ等、タブまたは他の突起を含むことができる。支持部分により、使用者（たとえば、看護師）は、指または器具を用いて支持部分を作動させる（たとえば、押し下げる）ことができる。これは、管（たとえば、経鼻胃チューブまたは経鼻空腸チューブ）および／または患者インタフェースから固定構造体３００を分離するのに役立つことができる。いくつかの変形では、支持部分は、患者から管を除去するのに役立つことができる。いくつかの実施形態では、支持部分は、固定構造体３００を安定化させるのに役立つことができ、かつ／または患者の顔面における固定構造体３００の分断を低減させることができる。
【０１００】
図１３Ａに示す固定構造体３００の変形が企図されることが理解されるべきである。たとえば、いくつかの構成では、使用時に、患者の眼またはまぶたの方に面する縁等、第３縁３０８Ａまたは第４縁３０８Ｂのうちの一方のみに、凹状湾曲部が存在する場合がある。いくつかの構成では、凹状湾曲部がある代わりに、第３縁３０８Ａまたは第４縁３０８Ｂのうちの一方は、第１縁３０４および第２縁３０６のうちの一方に近い第３縁３０８Ａまたは第４縁３０８Ｂの部分においてのみ、固定構造体３００の中心線または中心部分からさらに延在することができる。いくつかの構成では、第２縁３０６に近い第３縁３０８Ａおよび第４縁３０８Ｂの部分は、第１縁３０４に近い第３縁３０８Ａおよび第４縁３０８Ｂの部分より、本体３０２の中心線または中心部分から短い距離、またはおよそそれに等しい距離、突出することができる。いくつかの構成では、凹状湾曲部は、限定されないが三日月形状を含むより誇張した形状を有することができる。いくつかの構成では、インタフェース対向固定要素３１０’は、固定構造体３００の中心からずれているのではなく固定構造体３００の中心またはその近くに存在することができる。いくつかの構成では、インタフェース対向固定要素３１０’は、固定構造体３００のインタフェース対向領域３０１’の大部分または実質的に全体を占有することができる。
【０１０１】
図１３Ｂは、断面Ｃ−Ｃに沿った図１３Ａの固定構造体３００の図を示す。図示するように、固定構造体３００の本体３０２は厚さｔ１を有し、インタフェース対向固定要素３１０’は厚さｔ２を有する。本体３０２に対して、たとえば号泣または感情の表現による顔面の形状の変化に沿うことができるように、高い可撓性または低いヤング率が望ましいことが理解されている。本体３０２の厚さｔ１は、たとえば、０．０５ｍｍ〜０．３５ｍｍ、または０．１０ｍｍ〜０．３０ｍｍ、または０．１５ｍｍ〜０．２５ｍｍの範囲であり得る。いくつかの実施形態では、本体３０２の厚さｔ１は、たとえば、０．０５ｍｍ〜５．０ｍｍ±１０％、０．０５ｍｍ〜３．０ｍｍ±１０％、０．１ｍｍ〜１．０ｍｍ±１０％、０．１７８ｍｍ〜０．７６ｍｍ±１０％、０．１７８ｍｍ〜０．３８１ｍｍ±１０％、０．３８ｍｍ〜０．７６ｍｍ±１０％の範囲、またはおよそ０．７６ｍｍ±１０％であり得る。いくつかの実施形態では、本体３０２の厚さｔ１は、０．１７８ｍｍに等しいかまたはおよそ０．１７８ｍｍである。いくつかの実施形態では、本体３０２の厚さｔ１は、インタフェース対向固定要素３１０’の厚さｔ２に等しいか、およそ等しいか、またはそれより小さい可能性がある。相対的に小さい厚さｔ１を有する本体３０２は、固定構造体３００の全体的な可撓性を増大させることができる。いくつかの実施形態では、本体３０２は、ヤング率の低い材料を含む。いくつかの変形では、本体３０２の全体または本体３０２の実質的に全体は、ヤング率の低い材料を含む。いくつかの構成では、本体３０２の可撓性を増大させることにより、本体３０２の患者対向領域３０１は、患者の顔面に強力には接着しない可能性がある。別法として、本体３０２の患者対向領域３０１と患者の顔面との間の接着力を増大させることにより、本体３０２の可撓性が低減する可能性がある。したがって、可撓性を維持しながら、本体３０２の患者対向領域３０１と患者の顔面との間の接着力を最適化することが望ましい。異なる材料は、本体３０２の可撓性および／または接着力に対して異なる影響を与える可能性がある。
【０１０２】
図１４および図１５は、固定構造体３００に対するさらなる限定しない実施形態のインタフェース対向図を示す。図１４および図１５の実施形態は、図１３Ａの実施形態の特徴のうちの任意のものを含むことができる。たとえば、図示するように、図１４および図１５の実施形態は、本体３０２、第１縁３０４および第２縁３０６を含むことができる。第１縁３０４は、使用時に、患者の鼻または口の方に面することができ、第２縁３０６は、使用時に、患者の鼻または口から離れる方に面することができる。対向する第３縁３０８Ａおよび第４縁３０８Ｂは、第１縁３０４と第２縁３０６との間に延在することができる。図示するように、第３縁３０８Ａおよび第４縁３０８Ｂは、（たとえば、固定構造体３００の長手方向軸に対して）凹状湾曲部を含むことができる。
【０１０３】
固定構造体３００は、インタフェース対向固定要素３１０’を含むことができる。インタフェース対向固定要素３１０’は、固定構造体３００のインタフェース対向領域３０１’にあり、したがって、患者の顔面から離れる方に面する。インタフェース対向固定要素３１０’は、本体３０２の中心部分からずれている可能性がある。図示する構成では、インタフェース対向固定要素３１０’は、第２縁３０６より第１縁３０４に近いように位置決めされている。
【０１０４】
インタフェース対向固定要素３１０’は、１つまたは複数のスリットを含むことができる。スリットは、スリットの形状の交互の列を含むパターンであり得る。たとえば、図示するように、各列は、両側の列に対して反対の方向に面し、かつ両側の列から少なくとも部分的にずれている形状を備えた、弓形および／または半円形スリットを含むことができる。いくつかの実施形態では、スリットの列の一部は、固定構造体３００の長手方向において部分的に重なっている。
【０１０５】
場合によっては、使用時、固定構造体３００の周囲に、涙、粘液、吐物もしくは他の液体または液体固体混合物が存在する可能性がある。こうした物質の存在により、患者に対する固定構造体３００の患者対向領域３０１の接着力が低減する可能性がある。液体または液体固体混合物の存在による患者対向領域３０１の顔面に対する接着力の喪失を低減させるように、固定構造体３００の本体３０２を、比較的低い吸湿性を有する材料から構成することが望ましいことが理解されている。
【０１０６】
図８Ａは、インタフェース対向固定要素３１０’を含む固定構造体３００に対する例示的な限定しない構成を示す。インタフェース対向固定要素３１０’は、患者インタフェース２００の取付構造体２１６Ａ、２１６Ｂのうちの一方との「フック・ループ」型接続を形成するフック状パッドを含む。フック状パッドはフック３１４を含む。図８Ｂは、第１縁３０４から見て点線Ａ−Ａに沿った拡大断面を示す。図示するように、フック３１４は、固定構造体３００の本体３０２の第４縁３０８Ｂに向かって延在している。いくつかの構成では、フック３１４は、さらにまたは別法として、固定構造体３００の本体３０２の第３縁３０８Ａに向かって延在している。場合によっては、固定構造体３００が、幼児または新生児等の患者の顔面で使用される場合、患者を傾けて、第１縁３０４または第２縁３０６のいずれかを把持し、固定構造体３００の長さを横切ってそれぞれの縁を引っ張ることにより、固定構造体３００を除去するように試みられる。フック・ループ固定の強度は、フック３１４の向きに対して異方性であることが理解されている。
【０１０７】
いくつかの構成では、図９Ａおよび図９Ｂに示すように、フック３１４は、第２縁３０６に向かって延在するように配置することができる。（図９Ｂは、第３縁３０８Ａから見て線Ｂ−Ｂに沿った図９Ａの断面である。）他の構成では、フック３１４は、第１縁３０４、第２縁３０６、または第１縁３０４および第２縁３０６に向かって延在するように配置することができる。フック３１４が、第１縁３０４および／または第２縁３０６に向かって延在するように配置されている場合、フック・ループ固定の強度は、第１縁３０４および／または第２縁３０６に対して実質的に平行な軸に沿って力が加えられる場合より、第３縁３０８Ａおよび／または第４縁３０８Ｂに対して実質的に平行な軸に沿って力が加えられる場合の方が、分離がより強く抵抗されるようなものであり得る。フック３１４に対して相補的なループが、こうした力が加えられるときに、フック３１４に対して実質的に垂直な方向に付勢されるのではなく、フック３１４の長さに向かってかつ／またはそれに対して実質的に付勢されるため、力はより強く抵抗される。いくつかの構成では、フック３１４は、複数の方向に延在することができる。いくつかのこうした構成では、フック３１４は、フック・ループ固定の強度の異方性を緩和するように、たとえば実質的に垂直な方向に延在することができる。いくつかの構成では、フック３１４の角度は、異なる用途に適合するように変更することができる。いくつかの構成では、異なる角度の組合せを用いて、インタフェース対向固定要素３１０’と患者インタフェース２００との間の固定の強度を確定することができる。固定強度を補助するために、複数の異なる角度および／または異なる方向にフック３１４を位置決めすることができる。
【０１０８】
実施形態では、図５Ｃおよび図１１Ａ〜図１２Ｈに示すスリットの実施形態のうちの少なくとも１つとフック３１４の構成との組合せを用いて、患者インタフェース２００とのインタフェース対向固定要素３１０’の固定強度および／または可撓性を最大限にすることができる。
【０１０９】
図１０Ａは、患者の顔面の皮膚表面Ｓにおける固定構造体３００の使用を示す。患者対向領域３０１は、皮膚表面Ｓに接着する材料、たとえば、親水コロイド系接着剤から構成することができる、患者対向固定要素３１０を含む。図示するように、顕微鏡レベルでは、皮膚表面Ｓは、皮膚表面Ｓに沿った不規則な厚さを含み、複数の出っ張りおよび間隙Ｇを含む。患者対向固定要素３１０は、皮膚表面Ｓに適用されると、最初は、皮膚表面Ｓの一部にのみ接着する（図１０Ａの左側の図面を参照）。期間ｔの間に、接着性の患者対向固定要素３１０は、間隙Ｇに流れ込み、接着力を増大させる（図１０Ａの右側の図面を参照）。しかしながら、固定構造体３００が皮膚表面Ｓから除去されるときに不快感があり、それは、場合によっては、皮膚表面Ｓの体毛および角質層の一部が同時に除去されるためである、ということが理解されている。さらに、場合によっては、皮膚表面Ｓに接着剤を塗布した後、折々の接着剤の強度を予測することは困難である。
【０１１０】
図１０Ｂは、固定構造体３００の実施形態の使用を示し、そこでは、患者対向固定要素３１０は、シリコーン系接着剤から構成されている。図示するように、顕微鏡レベルで、皮膚表面への適用時、患者対向固定要素３１０は、迅速に間隙Ｇに流れ込み、急速に皮膚に対する最大接着力に達する。したがって、接着剤の塗布後の折々の接着剤の強度は、より予測可能になる。シリコーン系接着剤は、親水コロイド系接着剤より接着力が低く、親水コロイド系接着剤より除去するために必要な力が小さい。接着剤と皮膚との間の接触面積を増大させることにより、それらの間の十分な接着力を可能にし、固定構造体３００が除去されるときの皮膚表面の一部の除去を低減させることができる。患者対向固定要素３１０がシリコーン系接着剤から構成されている場合、皮膚からの固定構造体３００の除去または取外しの不快感を低減させることができる。
【０１１１】
別段文脈から明らかに必要でない限り、明細書および特許請求の範囲を通して、「備える」、「備えている」等の用語は、排他的または網羅的な意味とは対照的に包括的な意味で、すなわち、「含むが限定されない」という意味で解釈されるべきである。
【０１１２】
上述した説明において、既知の均等物を有する完全体または構成要素について言及しているが、それらの完全体または構成要素は、個々に示されているかのように本明細書に組み込まれる。
【０１１３】
開示した方法、装置およびシステムはまた、本開示において個別にまたはまとめて言及されるかまたは示される部品、要素および特徴を、前記部品、要素または特徴のうちの２つ以上の任意のまたはすべての組合せで含むようにも広義に言うことができる。さらに、本開示は、さまざまな実施形態のさまざまな特徴、態様、方法、特性、特質、品質、属性、要素等の組合せを含む。たとえば、本明細書におけるある実施形態に関連する任意の特定の特徴、態様、方法、特性、特質、品質、属性、要素等は、本明細書における他の任意の実施形態に関連して使用することができる。
【０１１４】
本明細書におけるいかなる先行技術に対する言及も、その先行技術が、世界中のいかなる国においても努力傾注分野において共通の一般知識の一部を形成するという承認またはいかなる形態の示唆でもなく、そのように解釈されるべきではない。
【０１１５】
本明細書で用いるような「およそ」、「約」、「概して」および「実質的に」という用語等、本明細書で用いる程度の文言は、依然として所望の機能を実行するかまたは所望の結果を達成する、述べられている値、量または特徴に近い値、量または特徴を表す。述べられている値、量または特徴からのずれは、たとえば、「概して平行な」および「実質的に平行な」という用語は、１５度、１０度、５度、３度、１度、０．１度等以下、厳密に平行であることから逸脱することができる値、量または特徴を指す。
【０１１６】
いくつかの実施形態について、添付図面に関連して記載した。図は、正確な尺度で描かれていないが、こうした尺度は限定するものであるべきではない。図示されているもの以外の寸法および比が企図され、本開示の範囲内にある。距離、角度、形状等は、単に例示的なものであり、必ずしも、図示する装置の実際の寸法および配置に厳密に関連するとは限らない。構成要素を追加し、除去し、かつ／または再配置することができる。
【０１１７】
いくつかの実施形態に関して本開示について記載したが、当業者には明らかである他の実施形態もまた、本開示の範囲内にある。したがって、本開示の趣旨および範囲から逸脱することなく、さまざまな変形および変更を行うことができる。たとえば、要求に応じてさまざまな構成要素を再配置することができる。さらに、本開示を実施するために、特徴、態様および利点の必ずしもすべてが必要であるとは限らない。したがって、本開示の範囲は、以下の特許請求の範囲によってのみ定義されるように意図されている。
【図１】
2018512205.tif 000003
【図２】
2018512205.tif 000004
【図３】
2018512205.tif 000005
【図４】
2018512205.tif 000006
【図５Ａ】
2018512205.tif 000007
【図５Ｂ】
2018512205.tif 000008
【図５Ｃ】
2018512205.tif 000009
【図６Ａ】
2018512205.tif 000010
【図６Ｂ】
2018512205.tif 000011
【図７Ａ】
2018512205.tif 000012
【図７Ｂ】
2018512205.tif 000013
【図７Ｃ】
2018512205.tif 000014
【図７Ｄ】
2018512205.tif 000015
【図７Ｅ】
2018512205.tif 000016
【図７Ｆ】
2018512205.tif 000017
【図７Ｇ】
2018512205.tif 000018
【図８Ａ】
2018512205.tif 000019
【図８Ｂ】
2018512205.tif 000020
【図９Ａ】
2018512205.tif 000021
【図９Ｂ】
2018512205.tif 000022
【図１０Ａ】
2018512205.tif 000023
【図１０Ｂ】
2018512205.tif 000024
【図１１Ａ】
2018512205.tif 000025
【図１１Ｂ】
2018512205.tif 000026
【図１１Ｃ】
2018512205.tif 000027
【図１１Ｄ】
2018512205.tif 000028
【図１２Ａ】
2018512205.tif 000029
【図１２Ｂ】
2018512205.tif 000030
【図１２Ｃ】
2018512205.tif 000031
【図１２Ｄ】
2018512205.tif 000032
【図１２Ｅ】
2018512205.tif 000033
【図１２Ｆ】
2018512205.tif 000034
【図１２Ｇ】
2018512205.tif 000035
【図１２Ｈ】
2018512205.tif 000036
【図１３Ａ】
2018512205.tif 000037
【図１３Ｂ】
2018512205.tif 000038
【図１４】
2018512205.tif 000039
【図１５】
2018512205.tif 000040
【国際調査報告】
2018512205.tif 000041
2018512205.tif 000042
2018512205.tif 000043